(57)【要約】【課題】自分で作る（ＤＩＹ）ことが容易になり、組み立てられた後のバスケットを逸脱させないことを可能にするだけでなく使用上の安全性が高い、踏み込みの必要ない脱水桶を提供する。【解決手段】桶体１０、バスケット２０、軸受３０、支持軸５０および固定ユニット４０を備え、桶体１０は頂面に形成された開口部１１と、底面１２から内部に突起して形成された突起座１３と、を有する。支持軸５０は突起座１３上に直立して固定される。バスケット２０は周囲および底面に複数の脱水孔２２を有する。固定ユニット４０は、弾性材質または可撓性材質から構成され、本体の上段部は上が細くて下が太い円錐体に形成され、中央に軸孔を有する。【選択図】  図２
0003156689.tif 000002
【実用新案登録請求の範囲】
【請求項１】
頂面に形成された開口部と、底面から内部に突起して形成された突起座と、を有する桶体と、
下段部が突起座内に固定され、かつ上段部が突起座の頂面に突出して形成された連結段を有し、連結段は中間位置に環状陥没溝を有する支持軸と、
弾性又は可撓性材質から構成され、本体の上段部は上が細くて下が太い円錐体に形成され、中央に軸孔を有し、軸孔は環状陥没溝の外径に対応するように設けられ、かつ環状陥没溝に被さるため、円錐体は底部から支持軸の外径に突出して形成された固定面を有する固定ユニットと、
周囲および底面に複数の脱水孔を有し、底部の中央に受動回転座を有し、受動回転座は底部に軸受を有するバスケットと、を備え、
バスケットを組み立てる際、支持軸の連結段に受動回転座を被せ、軸受を押し詰め、このとき軸受は固定ユニットを通過し、固定ユニットによって原状に復した固定面は、軸受の上方に位置付けられて広がるため、バスケットが支持軸を回転する際、支持軸から逸脱するという現象を防止することが可能であることを特徴とする踏み込みの必要ない脱水桶。
【請求項２】
支持軸は、中段部位に円錐環状体を有し、円錐環状体は、下段部が突起座内に固定され、かつ上段部が突起座の頂面に突出するため、軸受を支持し、回転させるのに用いることが可能であることを特徴とする請求項１に記載の踏み込みの必要ない脱水桶。
【請求項３】
固定ユニットは、ゴム材質から構成されることを特徴とする請求項１に記載の踏み込みの必要ない脱水桶。
【請求項４】
受動回転座は、突起状を呈し、バスケットの内側底面の中央に突出して形成され、かつその内部に耐磨耗スリーブを有することを特徴とする請求項1に記載の踏み込みの必要ない脱水桶。
【請求項５】
桶体の開口部は、両側の中段部に内側へ縮小して数字８の形が形成された弧状を有することを特徴とする請求項1に記載の踏み込みの必要ない脱水桶。
【請求項６】
桶体の支持力を増加させるために、桶体は底部に円弧状突起面を有することを特徴とする請求項1に記載の踏み込みの必要ない脱水桶。
【請求項７】
桶体は、両側の上方に取っ手との連結に用いる一対の耳部を有することを特徴とする請求項1に記載の踏み込みの必要ない脱水桶。
【請求項８】
桶体は、突起座の底面がラッパ状の開口部を呈するため、積み重なることが可能であることを特徴とする請求項1に記載の踏み込みの必要ない脱水桶。
【考案の詳細な説明】
【技術分野】
【０００１】
本考案は、脱水桶に関し、詳しく言えば使用上の安全性が高いだけでなくＤＩＹ方式でバスケットを組み立てても逸脱現象が発生しない、踏み込みの必要ない脱水桶に関するものである。
【背景技術】
【０００２】
モップは床掃除に用いる道具の一つである。従来の脱水桶はモップに付着した余分な水分を取り去るのに用いる道具である。従来の脱水桶はモップ上の毛糸を絞り、毛糸の水分を取り去る。また台湾実用新案登録第Ｍ３３８６３４号明細書に記載されている考案は桶体、装置部および回転機構を備え、回転機構は装着ユニット、回転軸、伝動ユニットおよびレバーを有する。該案は装着ユニット、回転軸、伝動ユニットおよびレバーとの間の交互作動によって回転機構を回転させ、モップの脱水を行なう。
【先行技術文献】
【特許文献】
【０００３】
【特許文献１】台湾実用新案登録第Ｍ３３８６３４号明細書
【考案の概要】
【考案が解決しようとする課題】
【０００４】
しかし、このような脱水桶中の回転機構を組み立てるには、部品をたくさん使用することが必要であるため、部品の消耗が原因で脱水桶の使用寿命を短縮するという欠点がある。
【０００５】
このような脱水桶は、構造が複雑であるため組立が難しいだけでなく、片方の足で踏み込む必要があるため使用者がバランスを崩して転んで怪我してしまうという事態を招く可能性がある。
【０００６】
このような脱水桶を出荷する際、内部のユニットの組立が完了しなければならないため、積み重ねて運送することはできない。体積が厖大な脱水桶を運送するには運送コストが高くなるため、消費者側にも製造側にも、不利なことである。
【０００７】
本考案の主な目的は、自分で作る（ＤＩＹ）ことが容易になり、組み立てられた後のバスケットを逸脱させないことを可能にするだけでなく使用上の安全性が高い、踏み込みの必要ない脱水桶を提供することである。
【０００８】
本考案のもう一つの目的は、構造を簡単化し、コストを大幅に削減し、かつ桶体内の水を漏出させないことを可能にする、踏み込みの必要ない脱水桶を提供することである。
【０００９】
本考案のもう一つの目的は、保管および運送の際に場所を取らず積み重ね、運賃を節約することを可能にする、踏み込みの必要ない脱水桶を提供することである。
【課題を解決するための手段】
【００１０】
上述の目的を達成するために、本考案による踏み込みの必要ない脱水桶は、桶体、支持軸、固定ユニット、およびバスケットを備える。
桶体は、頂面に形成された開口部と、底面から内部に突起して形成された突起座と、を有する。
支持軸は、下段部が突起座内に固定され、かつ上段部が突起座の頂面に突出して形成された連結段を有する。連結段は中間位置に環状陥没溝を有する。
固定ユニットは、弾性又は可撓性材質から構成され、本体の上段部は上が細くて下が太い円錐体に形成され、中央に軸孔を有する。軸孔は、環状陥没溝の外径に対応するように設けられ、かつ環状陥没溝に被さるため、円錐体は底部から支持軸の外径に突出して形成された固定面を有する。
バスケットは、周囲および底面に複数の脱水孔を有し、底部の中央に受動回転座を有し、受動回転座は底部に軸受を有する。バスケットを組み立てる際、支持軸の連結段に受動回転座を被せ、軸受を押し詰める。このとき軸受は固定ユニットを通過し、固定ユニットによって原状に復した固定面は、軸受の上方に位置付けられて広がるため、バスケットが支持軸を回転する際、支持軸から逸脱するという現象を防止することが可能である。
【００１１】
本考案による踏み込みの必要ない脱水桶は、主動の回転装置が配置されず、外部のモップが回転することによって脱水作業の補助を行なうことを可能にする道具である。
【００１２】
本考案による踏み込みの必要ない脱水桶は、使用者が手で持てるためにさらに取っ手を有する。桶体の開口部は数字８の形を呈する。桶体は底部に桶体の支持力を増強するのに用いる円弧状突起面を有する。従って、回転ユニットが回転する際、踏み込みの必要がない脱水桶を振動させるという現象は発生しない。
【図面の簡単な説明】
【００１３】
【図１】本考案の一実施形態による踏み込みの必要ない脱水桶を示す立体外観図である。
【図２】本考案の一実施形態による踏み込みの必要ない脱水桶を示す立体分解図である。
【図３】本考案の一実施形態による踏み込みの必要ない脱水桶が分解された状態を示す側面図である。
【図４Ａ】本考案の一実施形態による踏み込みの必要ない脱水桶における支持軸に固定ユニットを取り付ける過程を示す側面図である。
【図４Ｂ】本考案の一実施形態による踏み込みの必要ない脱水桶における支持軸に固定ユニットを取り付ける過程を示す側面図である。
【図４Ｃ】本考案の一実施形態による踏み込みの必要ない脱水桶における支持軸に固定ユニットを取り付ける過程を示す側面図である。
【図５】本考案の一実施形態による踏み込みの必要ない踏み込みの必要がない脱水桶が組み立てられた後の状態を示す断面図である。
【図６】図５中の記号６で表記された部位の拡大図である。
【図７】本考案の一実施形態による踏み込みの必要ない脱水桶とモップとを分離させた状態を示す立体図である。
【図８】本考案の一実施形態による踏み込みの必要ない脱水桶とモップとを組み合わせた状態を示す立体図である。
【図９】本考案の一実施形態による踏み込みの必要ない脱水桶に取っ手が付加された状態を示す模式図である。
【図１０】本考案の一実施形態による踏み込みの必要ない脱水桶が積み重ねられた状態を示す模式図である。
【考案を実施するための形態】
【００１４】
以下、本考案による踏み込みの必要ない脱水桶を図面に基づいて説明する。
（一実施形態）
図１から図６に示すように、本考案の一実施形態による踏み込みの必要ない脱水桶１００は、桶体１０、バスケット２０、軸受３０、支持軸５０および固定ユニット４０を備える。桶体１０は頂面に形成された開口部１１と、底面１２から内部に突起して形成された突起座１３と、を有する。支持軸５０は突起座１３上に直立して固定される。バスケット２０は周囲および底面に複数の脱水孔２２を有する。
【００１５】
突起座１３の高さは、桶体の深度および需要に応じて調整することが可能である。特に突起座１３の高さが桶体内に注入された所要水量の水平面に一致するかあるいはそれより高いほうが好ましい。支持軸５０は突起座１３内に嵌合されることが可能である。図３に示すように、突起座１３は頂面１３１に平面を有する。本実施形態は、突起座１３の底面をラッパ状の開口部に設けるため、図１０に示すように積み重ねることが可能である。
【００１６】
図４Ａ、図４Ｂ、図４Ｃおよび図６に示すように、支持軸５０は、下段部５１が突起座１３内に固定され、かつ上段部が突起座１３の頂面１３１に突出して形成された連結段５２を有する。連結段５２は中間位置に環状陥没溝５２１を有する。
【００１７】
固定ユニット４０は、弾性材質または可撓性材質から構成され、本体４１の上段部は上が細くて下が太い円錐体４２に形成され、中央に軸孔４３を有する。軸孔４３は環状陥没溝５２１の外径に対応するように設けられ、かつ環状陥没溝５２１に被さるため、円錐体４２は底部から支持軸５０の外径に突出して形成された固定面４２１を有する。つまり、固定ユニット４０は材質が弾性又は可撓性を有するため、拡張によって環状陥没溝５２１に被さる際、逸脱現象が発生しない。本実施形態において、固定ユニット４０はゴムから構成されるが、これに限らない。
【００１８】
バスケット２０は、底部に受動回転座２１を有し、受動回転座２１は底部に軸受３０を有する。本実施形態は、バスケット２０を射出成形する際、軸受３０と受動回転座２１の底面とを一体成形し、被覆部２１２によって固定することが可能であるが、これに限らない。
【００１９】
本考案の特徴は次のとおりである。バスケット２０が出荷される際、バスケット２０と桶体１０とが分離するため、図１０に示すように、バスケット２０と桶体１０を積み重ねることによって保管および運送の便をはかることが可能である。バスケット２０と桶体１０が消費者の手元に届いたとき、消費者は自ら組み立てる方式（ＤＩＹ）によって支持軸５０の連結段５２にバスケット２０の受動回転座２１を簡単に被せることが可能である。このとき軸受３０は内径が支持軸５０にほぼ等しいが、固定ユニット４０の円錐体４２の固定面４２１より小さい。円錐体４２は斜面を有し、材質が弾性を有するため、軸受３０は円錐体４２の斜面から嵌め込まれながら、円錐体４２を圧縮することによって固定ユニット４０を通過することが可能である。そののち固定ユニット４０は原状に復し、固定面４２１が軸受３０の上方に位置付けられて広がることが可能であるため、支持軸５０上にバスケット２０を簡単に装着することが可能となるだけでなく、バスケット２０が回転する際、固定面４２１の制限によってバスケット２０を逸脱させないことが可能となる。従って、安全性と安定性が非常に高い。
【００２０】
受動回転座２１は、突起状を呈し、バスケット２０の内側底面の中央に突起して形成され、かつ内側と支持軸５０との接触面に耐磨耗スリーブ２１１を有するため、バスケット２０が支持軸５０上を回転する際、受動回転座２１が磨耗して使用寿命を短縮するという現象を防止することが可能である。
【００２１】
図６に示すように、支持軸５０は中段部位に円錐環状体５３を有する。円錐環状体５３は、下段部が突起座１３内に固定され、かつ上段部が突起座１３の頂面１３１に突出するため、軸受３０を支持し、回転させるのに用いることが可能である。かつ円錐環状体５３は、支持軸５０が突起座１３から逸脱するという現象を防止することが可能である。
【００２２】
図７および図８は、本考案がモップ２００に適用された状態を示す模式図である。モップ２００は、外筒体２０１、内筒体２０２、内筒体２０２の底部に装着されるヘッド部２０３および毛糸２０４を備える。毛糸２０４の水分を取り去る場合、ヘッド部２０３および毛糸２０４をバスケット２０中に置いて外筒体２０１を介して内筒体２０２を回転させることによってヘッド部２０３および毛糸２０４を連動させる。このとき自由状態を呈するバスケット２０は駆動され、かつ底部に配置される軸受３０によってスムーズに回転することが可能であるため、遠心力によって毛糸２０４の水分を脱水孔２２から放散することが可能となる。
【００２３】
図８に示すように、本考案における開口部１１は、両側の中段部に内側へ縮小して数字８の形が形成された弧状１７を有する。モップ２００を脱水し、遠心力によって毛糸２０４の水滴を切線方向に沿って放散する際、水滴の進行方向は開口部１１の中段部の内側の弧状１７に衝突するため、水滴は桶体１０の内側壁に沿って落下する。このような弧状１７の設計は水滴を外部に飛ばし、使用者または地面を濡らすという現象を防止することが可能である。
【００２４】
図９に示すように、本考案による踏み込みの必要ない脱水桶１００は、使用の便をはかるため、桶体１０の両側の上方に取っ手１６との連結に用いる一対の耳部１５を配置することが可能である。かつ桶体１０の支持力を増加させるため、桶体１０の底部１２に円弧状突起面１４を配置することが可能である。従って、回転ユニット３０が回転する際、踏み込みの必要ない脱水桶１００を振動させるという現象は発生しない。
【００２５】
本考案による踏み込みの必要ない脱水桶は足で踏み込むことによってモップを絞る必要がないため、長期にわたって使用する使用者にとって、脱水桶を使用する際の危険性を確実に低減させることが可能である。
【００２６】
本考案における支持軸５０は、下段部５１が突起座１３内に固定されるため、回転できない。従って、桶体１０の内部の水は支持軸５０の位置から漏出することが発生しない。
【００２７】
本考案による踏み込みの必要ない脱水桶は、軸受３０によってバスケット２０を自由回転させ、かつ構造の設計が簡単化されるため、長期にわたって使用されても損耗を生じないことが可能である。かつ運送の際に完成品の状態で運送する必要がないため、図１０に示すように出荷の際に桶体１０およびバスケット２０を積み重ねて運送し、使用の際に使用者が自ら組み立てること（ＤＩＹ）が可能である。使用者にとって経済的負担を減少させ、製造業者にとってコストの削減を実現させることが可能となる。かつ本考案は予め装着された固定ユニットによって、ＤＩＹ方式で組み立てられたバスケットを逸脱させないことが可能であるため、使用上の安全性を有する。従って、本考案は使用者および製造者の得になると考えられる。
【符号の説明】
【００２８】
１０：桶体、  １００：踏み込みの必要ない脱水桶、  １１：開口部、  １２：底面、  １３：突起座、  １３１：頂面、  １４：円弧状突起面、  １５：耳部、  １６：取っ手、  １７：弧形、  ２０：バスケット、  ２００：モップ、  ２０１：外筒体、  ２０２：内筒体、  ２０３：ヘッド部、  ２０４：毛糸、  ２１：受動回転座、  ２１１：耐磨耗スリーブ、  ２１２：被覆部、  ２２：脱水孔、  ３０：軸受、  ４０：固定ユニット、  ４１：本体、  ４２：円錐体、  ４２１：固定面、  ４３：軸孔、  ５０：支持軸、  ５１：下段部、  ５２：連結段、  ５２１：環状陥没溝、  ５３：円錐環状体
【図１】
0003156689.tif 000003
【図２】
0003156689.tif 000004
【図３】
0003156689.tif 000005
【図４Ａ】
0003156689.tif 000006
【図４Ｂ】
0003156689.tif 000007
【図４Ｃ】
0003156689.tif 000008
【図５】
0003156689.tif 000009
【図６】
0003156689.tif 000010
【図７】
0003156689.tif 000011
【図８】
0003156689.tif 000012
【図９】
0003156689.tif 000013
【図１０】
0003156689.tif 000014